(57)【要約】【課題】掃除が必要なタイミングを使用者に示唆できる電気掃除機を提供する。【解決手段】電気掃除機は、電動送風機18を収容した掃除機本体を有する。電気掃除機は、電動送風機18の吸込側に連通する風路を有する。電気掃除機は、電動送風機18の駆動により風路内を通過する塵埃量を検出する光センサ53を有する。電気掃除機は、光センサ53により検出した塵埃量に基づき掃除領域の掃除状態を算出する掃除状態算出部57を有する。電気掃除機は、掃除状態算出部57により算出した掃除状態から予測した必要掃除頻度を表示する表示手段20を有する。【選択図】図１
2012200462.tif 000002
【特許請求の範囲】
【請求項１】
電動送風機を収容した掃除機本体と、
前記電動送風機の吸込側に連通する風路と、
前記電動送風機の駆動により前記風路内を通過する塵埃量を検出する塵埃量検出手段と、
この塵埃量検出手段により検出した塵埃量に基づき掃除領域の掃除状態を算出する算出手段と、
この算出手段により算出した掃除状態から予測した必要掃除頻度を報知する報知手段と
を具備したことを特徴とした電気掃除機。
【請求項２】
算出手段は、塵埃量検出手段により検出した塵埃量の積算量と電動送風機の運転時間との比率により掃除領域の掃除状態を算出する
ことを特徴とした請求項１記載の電気掃除機。
【請求項３】
被掃除面上を移動可能で、風路の一部を形成する吸込口体を具備し、
算出手段は、塵埃量検出手段により検出した塵埃量の積算量と前記吸込口体の被掃除面上での移動量との比率により掃除領域の掃除状態を算出する
ことを特徴とした請求項１記載の電気掃除機。
【発明の詳細な説明】
【技術分野】
【０００１】
本発明の実施形態は、電動送風機の吸込側に連通する風路を備えた電気掃除機に関する。
【背景技術】
【０００２】
従来、電気掃除機は、電動送風機を収容した掃除機本体を備え、電動送風機の吸込側に、この電動送風機の駆動により塵埃が吸い込まれる風路が連通して構成されている。このような電気掃除機としては、例えば予め設定された各掃除領域の掃除頻度に応じて次回の掃除のタイミングを示唆する構成が知られている。
【０００３】
一般に、使用者は掃除領域に対して必要な掃除の頻度を、その掃除領域の掃除状態、すなわち汚れ度合い(綺麗度)に応じて決定する。例えば掃除領域があまり汚れていない場合、換言すれば掃除領域の塵埃量があまり多くない場合には、使用者は掃除をしない傾向にある。したがって、掃除領域の汚れ度合いを知ることで、使用者は必要時にのみ掃除をすることができ、利便性を向上できる。
【先行技術文献】
【特許文献】
【０００４】
【特許文献１】特開平８−９４７２号公報
【発明の概要】
【発明が解決しようとする課題】
【０００５】
本発明が解決しようとする課題は、掃除が必要なタイミングを使用者に示唆できる電気掃除機を提供することである。
【課題を解決するための手段】
【０００６】
実施形態の電気掃除機は、電動送風機を収容した掃除機本体を有する。また、この電気掃除機は、電動送風機の吸込側に連通する風路を有する。さらに、この電気掃除機は、電動送風機の駆動により風路内を通過する塵埃量を検出する塵埃量検出手段を有する。また、この電気掃除機は、塵埃量検出手段により検出した塵埃量に基づき掃除領域の掃除状態を算出する算出手段を有する。そして、この電気掃除機は、算出手段により算出した掃除状態から予測した必要掃除頻度を報知する報知手段を有する。
【図面の簡単な説明】
【０００７】
【図１】第１の実施形態の電気掃除機の内部構造を示すブロック図である。
【図２】同上電気掃除機の一部を示す縦断面図である。
【図３】同上電気掃除機を示す斜視図である。
【図４】同上電気掃除機の制御全体を示すフローチャートである。
【図５】第２の実施形態の電気掃除機の内部構造を示すブロック図である。
【図６】同上電気掃除機の制御全体を示すフローチャートである。
【発明を実施するための形態】
【０００８】
以下、第１の実施形態の構成を図面を参照して説明する。
【０００９】
図３において、11はいわゆるキャニスタ型の電気掃除機を示し、この電気掃除機11は、掃除機本体12と、この掃除機本体12に着脱可能に接続される管部である風路形成体13とを有している。
【００１０】
掃除機本体12は、被掃除面上を旋回および走行可能な中空状の本体ケース15を備えており、この本体ケース15の内部に、図示しない本体集塵室と電動送風機室とが前後に区画されている。さらに、電動送風機室には、電動送風機18が収容されており、この電動送風機18の吸込側が本体集塵室に連通している。また、本体集塵室内には、フィルタ、集塵袋、あるいは集塵装置(集塵カップ)などの集塵部が配置されている。そして、本体ケース15の前部には、本体集塵室に連通するとともに風路形成体13の基端側が接続される本体吸込口19が開口形成されている。さらに、本体ケース15の上部には、報知手段としての液晶パネルなどの表示手段20が配置されている。
【００１１】
また、風路形成体13は、長尺状のホース体21と、このホース体21に着脱可能に接続される延長管22と、この延長管22に着脱可能に接続される吸込口体としての床ブラシ23とを備えており、電動送風機18の吸込側に連通する風路Ｗを内部に形成している。なお、この風路形成体13は、例えば床ブラシ23を取り外して使用することもできるし、床ブラシ23および延長管22を取り外して使用することもできる。
【００１２】
ホース体21は、長尺筒状のホース本体25と、このホース本体25の一端側である基端側(下流端側)に連通して形成された接続管部26と、ホース本体25の他端側である先端側(上流端側)に連通して形成され例えば風路形成体13の把持操作用の手元操作部27とを一体的に有している。
【００１３】
ホース本体25は、可撓性を有する合成樹脂などにより円筒蛇腹状に形成されており、手元操作部27側と掃除機本体12側とを電気的に接続する図示しない配線が内部でかつ風路Ｗの外部に螺旋状に取り付けられている。
【００１４】
接続管部26は、本体吸込口19に挿入接続される部分であり、ホース本体25よりも硬質の合成樹脂などにより円筒状に形成されている。また、この接続管部26には、ホース本体25内に配置された配線と電気的に接続された図示しない端子が配置されており、これら端子が、接続管部26を本体吸込口19に挿入接続することで掃除機本体12側と電気的に接続される。
【００１５】
また、手元操作部27は、ホース本体25よりも硬質の合成樹脂などにより略円筒状に形成されており、上流端側から下流端側へと、使用者に把持される把持部37が突出して形成されている。この把持部37には、電動送風機18などの動作を設定するための設定手段としての複数の設定ボタン38が配置されている。
【００１６】
また、床ブラシ23は、風路Ｗの一部(上流端)を構成可能なものであり、延長管22の先端側(上流端側)に一端側が連通接続される接続管41と、この接続管41の他端側に、上下方向あるいは周方向などに回動可能に接続された横長のケース体42と、このケース体42に回転自在に設けられ被掃除面に接地して従動回転することで床ブラシ23を被掃除面上で移動(走行)可能とする図示しない走行輪などを備えている。さらに、ケース体42の床面に対向する下部には、接続管41の他端側と連通する吸込口が形成されている。なお、床ブラシ23には、吸込口に回転清掃体が回転可能に配置され、この回転清掃体を回転駆動させる駆動手段であるモータなどがケース体42内に配置されていてもよい。
【００１７】
次に、電気掃除機11の内部構造を説明する。
【００１８】
電気掃除機11は、本体ケース15に出し入れ可能に収納された電源コード44を介して図１に示す電源部である例えば商用交流電源ｅから給電を受けるマイコンなどの制御手段45を備えている。なお、電源部としては、例えば掃除機本体12の本体ケース15に内蔵した二次電池などの電池を用いることも可能である。
【００１９】
制御手段45は、設定ボタン38と電気的に接続された操作判定手段である操作判定部51、この操作判定部51と電気的に接続され電動送風機18の動作を制御する電力制御手段である電力制御部52、電動送風機18の駆動により風路Ｗを通過する塵埃量を検出する塵埃量検出手段である光センサ53と電気的に接続された処理手段である処理部54、この処理部54に電気的に接続された塵埃量積算手段としての塵埃量積算部55、電動送風機18の運転時間(電動送風機18の駆動開始から駆動している時間)を検出する運転時間積算手段としての運転時間積算部56、被掃除面の掃除状態を算出する算出手段としての掃除状態算出部57、被掃除面の必要掃除頻度を判定する判定手段としての必要掃除頻度判定部58、および、この必要掃除頻度判定部58と電気的に接続され表示手段20の動作を制御する報知制御手段としての表示制御部60などを備えている。なお、この制御手段45は、例えば床ブラシ23に上記モータなどが配置されている場合には、このモータなどの駆動を制御する駆動手段制御部などを備えていてもよい。また、制御手段45を構成する各部は、それぞれ一体でも別体でもよく、例えば掃除機本体12の本体ケース15の内部など、任意の位置に配置できる。
【００２０】
操作判定部51は、使用者による設定ボタン38の操作を判定することにより、これら設定ボタン38の操作に応じて、電力制御部52に対して電動送風機18の動作モードを設定するものである。
【００２１】
また、電力制御部52は、操作判定部51により設定された動作モードに応じて、図示しない制御素子などを介して電動送風機18を例えば位相角制御可能となっている。なお、電動送風機18の動作モードとしては、例えば弱、中、強、あるいは停止などの各種モードがある。
【００２２】
また、光センサ53は、図１および図２に示すように、例えば赤外光を発光する発光手段としての発光部61と、この発光部61により発光された赤外光を受光する受光手段としての受光部62とを互いに対向する位置に備えており、発光部61からの赤外光の受光部62での受光量によって、風路Ｗ中を通過する塵埃量に対応する信号を処理部54に出力可能となっている。
【００２３】
発光部61は、赤外光などの光を出力するＬＥＤなどの発光素子61aと、この発光素子61aからの発光を風路Ｗ内へと導く発光側導光部材としての一方および他方の発光側レンズ61b，61cとを有している。
【００２４】
発光素子61aは、例えば掃除機本体12の本体ケース15の本体吸込口19の上部に、下方に向けて配置されており、この下方へと赤外光を出力するように構成されている。
【００２５】
また、一方の発光側レンズ61bは、発光素子61aの赤外光の出力側である下方にて本体吸込口19の内面に配置されている。
【００２６】
また、他方の発光側レンズ61cは、風路形成体13の接続管部26を本体吸込口19に接続した状態で発光素子61a(一方の発光側レンズ61b)の下方に対向する位置に配置されている。この他方の発光側レンズ61cは、接続管部26に径方向に沿って穿設された発光側孔部61d内に、この発光側孔部61dを気密に閉塞するように嵌合しており、一端側が発光素子61a側(一方の発光側レンズ61b側)に臨み、他端側が風路Ｗの内部に臨んでいる。すなわち、発光側孔部61dから風路Ｗ内の空気が風路Ｗの外部へと流出することはない。
【００２７】
同様に、受光部62は、発光部61から出力された赤外光を検出するフォトトランジスタなどの受光素子62aと、発光部61から出力された光を受光素子62aへと導く受光側導光部材としての一方および他方の受光側レンズ62b，62cとを有している。
【００２８】
受光素子62aは、例えば掃除機本体12の本体ケース15の本体吸込口19の下部に、上方すなわち発光素子61a側に向けて配置されており、この発光素子61aから出力された赤外光を受光し、この受光量に応じた信号を出力するように構成されている。
【００２９】
また、一方の受光側レンズ62bは、受光素子62aに対する赤外光の入力側である上方にて本体吸込口19の内面に配置されている。
【００３０】
また、他方の受光側レンズ62cは、風路形成体13の接続管部26を本体吸込口19に接続した状態で受光素子62a(一方の受光側レンズ62b)の上方に対向する位置に配置されている。この他方の受光側レンズ62cは、接続管部26に径方向に沿って穿設された受光側孔部62d内に、この受光側孔部62dを気密に閉塞するように嵌合しており、一端側が受光素子62a側(一方の受光側レンズ62b側)に臨み、他端側が風路Ｗの内部に臨んでいる。すなわち、受光側孔部62dから風路Ｗ内の空気が風路Ｗの外部へと流出することはない。
【００３１】
そして、光センサ53は、風路Ｗ内を通過する塵埃量が相対的に多い(少ない)場合、発光部61の発光素子61aからの発光を遮る塵埃が増加(減少)するため、受光部62の受光素子62aでの受光量が相対的に減少(増加)するので、この受光量の増減によって、風路Ｗ内を通過する塵埃量を検出できる。
【００３２】
また、処理部54は、発光部61の発光素子61aの発光量などを制御する発光制御部64と、受光部62からの信号を処理する受光処理部65とを有しており、塵埃量積算部55と電気的に接続されている。そして、受光処理部65は、受光量に対応して出力される受光部62の受光素子62aからの信号を増幅して掃除状態算出部57へと出力するように構成されている。
【００３３】
塵埃量積算部55は、処理部54の受光処理部65により処理された信号の積算によって、電動送風機18が駆動している間の塵埃量の積算量を算出するものである。
【００３４】
また、運転時間積算部56は、例えばタイマなどの機能を有しており、電動送風機18の駆動開始時にリセットされ、電動送風機18が駆動している時間、あるいは電動送風機18の停止までの時間を積算して算出するものである。
【００３５】
また、掃除状態算出部57は、塵埃量積算部55により算出された塵埃量の積算量および運転時間積算部56により算出された電動送風機18の運転時間に基づいて、被掃除面の掃除状態、本実施形態では被掃除面の汚れ度合い(綺麗度)を算出するものである。
【００３６】
さらに、必要掃除頻度判定部58は、掃除状態算出部57と電気的に接続されており、この掃除状態算出部57により算出した被掃除面の汚れ度合いに対応して、被掃除面の掃除頻度を予測および判定するものである。
【００３７】
また、表示制御部60は、必要掃除頻度判定部58により判定された必要掃除頻度を表示するように表示手段20を制御するものである。
【００３８】
次に、上記第１の実施形態の動作を、図４に示すフローチャートも参照しながら説明する。
【００３９】
使用者が、集塵部を掃除機本体12の本体ケース15内に取り付けた状態で、電源コード44を壁面のコンセントなどに接続(プラグイン)すると、制御手段45に対して、商用交流電源ｅから電源(電圧)が供給(印加)される。
【００４０】
そして、制御手段45は、設定ボタン38の操作入力待ちとなる。すなわち、制御手段45は、電気掃除機11を起動させるか、換言すれば電動送風機18を起動させる設定ボタン38が操作されたかどうかを(操作判定部51により)判断する(ステップ１)。
【００４１】
このステップ１において、電気掃除機11を起動させない(設定ボタン38が操作されていない)と制御手段45が判断した場合には、ステップ１を繰り返し、電気掃除機11を起動させる(設定ボタン38が操作された)と制御手段45が判断した場合には、制御手段45は、設定された動作モードで(電力制御部52により)電気掃除機11(電動送風機18)を起動させるとともに、電動送風機18(電気掃除機11)の運転時間の積算を(運転時間積算部56により)開始する(ステップ２)。
【００４２】
次いで、制御手段45は、表示手段20の表示を(表示制御部60により)クリアし(ステップ３)、光センサ53により検出した塵埃量が予め設定された所定量以上であるかどうかを(処理部54を介して)判断する(ステップ４)。このステップ４において、光センサ53により検出した塵埃量が予め設定された所定量以上であると判断した場合には、制御手段45は、塵埃量を(塵埃量積算部55により)積算し(ステップ５)、ステップ６に進む。また、このステップ４において、光センサ53により検出した塵埃量が予め設定された所定量以上でないと制御手段45が判断した場合には、そのままステップ６に進む。電動送風機18の駆動により空気とともに風路Ｗ内に吸い込まれた塵埃は、風路形成体13および本体吸込口19を通過して集塵部へと流入し、この集塵部に捕集される。塵埃が捕集された空気は、電動送風機18に吸い込まれ、この電動送風機18を冷却しつつこの電動送風機18から排気されて掃除機本体12の本体ケース15の外部へと排気される。
【００４３】
そして、制御手段45は、電気掃除機11を停止させるか、換言すれば電動送風機18を停止させる設定ボタン38が操作されたかどうかを(操作判定部51により)判断する(ステップ６)。このステップ６において、電気掃除機11を停止させない(設定ボタン38が操作されていない)と制御手段45が判断した場合には、ステップ４に戻る。また、このステップ６において、電気掃除機11を停止させる(設定ボタン38が操作された)と判断した場合には、制御手段45は、電気掃除機11(電動送風機18)を(電力制御部52により)停止させるとともに、電動送風機18(電気掃除機11)の運転時間の積算を終了し、この積算した運転時間とステップ５で積算した塵埃量とに基づいて掃除状態算出部57により被掃除面の掃除状態を算出し、さらに、この掃除状態に基づいて必要掃除頻度判定部58により被掃除面の必要掃除頻度を算出して、表示手段20を(表示制御部60により)制御することで、必要掃除頻度を表示する(ステップ７)。
【００４４】
このとき、掃除状態算出部57では、塵埃量の積算量をＤ、電動送風機18の運転時間をＴとしたとき、その比率、すなわちＤ／Ｔにより掃除状態を算出する。また、必要掃除頻度判定部58では、その算出した比率と、例えば電動送風機18の動作モードに応じて予め設定された所定の閾値あるいはテーブルなどとを比較することによって、被掃除面の必要掃除頻度を判定する。本実施形態において、必要掃除頻度判定部58が判定する必要掃除頻度とは、例えば「毎日」、「１日置き」などとする。
【００４５】
例えば一定の運転時間に対して塵埃量の積算量が小さい(大きい)場合、算出した比率は相対的に小さく(大きく)なるので、必要掃除頻度判定部58は、掃除領域の汚れ度合いが相対的に低い(高い)、換言すれば掃除領域に塵埃が相対的に少なく(多く)掃除領域が相対的に綺麗である(汚れている)と判定し、必要掃除頻度を例えば「１日置き」(「毎日」)などとする。
【００４６】
上述したように、上記第１の実施形態によれば、掃除状態算出部57が、光センサ53により検出した塵埃量の積算量と電動送風機18の運転時間との比率により掃除領域の掃除状態を算出することで、塵埃量の積算量に対して電動送風機18の運転時間が少ないほど、掃除状態が大きくなる。一般に、同じ掃除領域を掃除する際には、電動送風機18の運転時間には大きな変動がないことから、上記算出した掃除状態を、掃除領域の汚れ度合い(綺麗度)の指標とすることができるので、この掃除状態に基づく必要掃除頻度の判定の信頼性を確保できる。
【００４７】
次に、第２の実施形態を図５および図６を参照して説明する。なお、上記第１の実施形態と同様の構成および作用については、同一符号を付してその説明を省略する。
【００４８】
この第２の実施形態は、上記第１の実施形態の運転時間積算部56に代えて、電気掃除機11が、床ブラシ23の被掃除面上での移動量(移動距離)を積算する移動量積算部71を備えるものである。
【００４９】
この移動量積算部71は、床ブラシ23に配置された接地検出部72および移動量検出部73と電気的に接続されている。接地検出部72は、床ブラシ23のケース体42の下部に突設されたスイッチなどであり、被掃除面と接触することによりオンあるいはオフされることで被掃除面への接地を検出できる。また、移動量検出部73は、例えばケース体42の走行輪の回転数あるいは回転速度などを検出することで床ブラシ23の移動速度および距離を検出可能なセンサなどである。そして、移動量積算部71は、接地検出部72により床ブラシ23の接地が検出された状態で移動量検出部73により検出された床ブラシ23の移動速度および距離を積算することにより、床ブラシ23の被掃除面上の移動量を算出する。
【００５０】
そして、図６に示すフローチャートのように、上記ステップ２に代えて、制御手段45は、設定された動作モードで(電力制御部52により)電気掃除機11(電動送風機18)を起動させる(ステップ11)とともに、上記ステップ３とステップ４との間において、制御手段45は、床ブラシ23が被掃除面に接地しているかどうかを(接地検出部72により)判断する(ステップ12)。このステップ12において、床ブラシ23が被掃除面に接地していないと制御手段45が判断した場合には、ステップ12に戻り、床ブラシ23が被掃除面に接地していると判断した場合には、制御手段45は、床ブラシ23が予め設定された所定速度以上の速度で移動しているかどうかを(移動量検出部73により)判断する(ステップ13)。
【００５１】
そして、このステップ13において、床ブラシ23が予め設定された所定速度以上の速度で移動していないと制御手段45が判断した場合には、ステップ12に戻り、床ブラシ23が予め設定された所定速度以上の速度で移動していないと判断した場合には、制御手段45は、床ブラシ23の被掃除面上での移動量を(移動量積算部71により)積算し(ステップ14)、ステップ４に進む。なお、ステップ６において、電気掃除機11を停止させない(設定ボタン38が操作されていない)と制御手段45が判断した場合には、ステップ12に戻る。
【００５２】
なお、上記ステップ12ないしステップ14の前にステップ４およびステップ５の処理をしてもよい。すなわち、これらステップ12ないしステップ14の処理と、ステップ４およびステップ５の処理との順番は問わない。
【００５３】
そして、ステップ７において、制御手段45は、電気掃除機11(電動送風機18)を(電力制御部52により)停止させるとともに、ステップ14で積算した床ブラシ23の被掃除面上での移動量とステップ５で積算した塵埃量とに基づいて掃除状態算出部57により被掃除面の掃除状態を算出し、さらに、この掃除状態に基づいて必要掃除頻度判定部58により被掃除面の必要掃除頻度を算出して、表示手段20を(表示制御部60により)制御することで、必要掃除頻度を表示する。
【００５４】
このとき、掃除状態算出部57では、塵埃量の積算量をＤ、床ブラシ23の移動量をＬとしたとき、その比率、すなわちＤ／Ｌにより掃除状態を算出する。
【００５５】
このように、第２の実施形態によれば、掃除状態算出部57が、光センサ53により検出した塵埃量の積算量と床ブラシ23の被掃除面上での移動量との比率により掃除領域の掃除状態を算出することで、塵埃量の積算量に対して床ブラシ23の被掃除面上での移動量が少ないほど、掃除状態が大きくなる。一般に、同じ掃除領域を掃除する際の床ブラシ23の移動量には大きな変動がないことから、上記算出した掃除状態を、掃除領域の汚れ度合い(綺麗度)の指標とすることができるので、この掃除状態に基づく必要掃除頻度の判定の信頼性を確保できる。
【００５６】
そして、以上説明した少なくとも一つの実施形態によれば、光センサ53により検出した塵埃量に基づき掃除領域の掃除状態を掃除状態算出部57により算出し、この算出した掃除状態から予測した必要掃除頻度を表示手段20により表示することで、掃除が必要なタイミングを使用者に示唆できる。
【００５７】
すなわち、必要掃除頻度として例えば「毎日」、あるいは「１日置き」などと表示手段20に表示することにより、使用者はその表示を見て、毎日掃除するか、１日置きでよいかの次回の掃除の必要なタイミングを判断できる。また、使用者は、表示手段20に表示された必要掃除頻度に全面的に従わなくても、例えば「毎日」と表示されている場合には、「１日置き」と表示されている場合よりも掃除頻度を上げるなど、表示されている必要掃除頻度の内容を参考にして次回の掃除のタイミングを使用者自身で判断できる。
【００５８】
したがって、掃除領域の掃除状態に基づいて予測した必要掃除頻度を表示することによって、いわば「掃除予報」を使用者に提供することが可能になり、利便性が向上する。
【００５９】
そして、このような必要掃除頻度を参考にして、使用者は掃除が必要な掃除領域を分析でき、必要以上に掃除をしなくても掃除領域を綺麗な状態に保つことができる。すなわち、使用者は、必要掃除頻度に基づいて掃除領域毎の塵埃量を集計および蓄積できるので、汚れやすい、すなわち頻繁に掃除が必要になる掃除領域と、汚れにくい、すなわち頻繁な掃除が必要でない掃除領域とを区別でき、無駄な掃除をしなくてもよくなり、効率的で、かつ、効果的な掃除が可能になるとともに、使用者に不要な掃除をしないように促すこともできるので、省エネルギ化に寄与できる。
【００６０】
しかも、表示手段20に表示される必要掃除頻度の増減を使用者が認識することで、例えば必要掃除頻度が相対的に減少した場合には、使用者に掃除の達成感を与えることができ、必要掃除頻度が相対的に増加した場合には、使用者に次回の掃除への動機付け(モチベーション)を与えることができる。
【００６１】
なお、上記各実施形態において、報知手段は、視覚的に表示する表示手段20以外でも、例えば音声などによって聴覚的に報知する報知手段、あるいはそれらの組み合わせなどを用いることができる。
【００６２】
また、制御手段45は、光センサ53により検出した塵埃量に対応して電動送風機18、あるいは床ブラシ23のモータなどの入力を自動制御してもよい。
【００６３】
さらに、電動送風機18の運転中などに、光センサ53により検出した塵埃量の寡多を、表示手段20などに表示してもよい。
【００６４】
そして、過去数回分、あるいは過去の一定期間の必要掃除頻度を不揮発性のメモリなどの記憶手段に記憶し、それらのデータを新たに予測する掃除領域の必要掃除頻度の判定にフィードバックするように構成してもよい。
【００６５】
また、例えば使用者が指定、あるいは電気掃除機11が自動的に検出した互いに異なる複数の掃除領域毎に、掃除状態算出部57が掃除状態を算出し、それらの掃除状態に基づいて必要掃除頻度判定部58がそれぞれ必要掃除頻度を判定して、それらの必要掃除頻度を、必要に応じて適宜表示手段20に表示するように構成してもよい。
【００６６】
さらに、電気掃除機11は、キャニスタ型に限らず、掃除機本体12の下部に床ブラシ23が接続されたアップライト型のものやハンディ型のものなどでも対応して用いることができる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
11    電気掃除機
12    掃除機本体
18    電動送風機
20    報知手段としての表示手段
23    吸込口体としての床ブラシ
53    塵埃量検出手段である光センサ
57    算出手段としての掃除状態算出部
Ｗ    風路
【図１】
2012200462.tif 000003
【図２】
2012200462.tif 000004
【図３】
2012200462.tif 000005
【図４】
2012200462.tif 000006
【図５】
2012200462.tif 000007
【図６】
2012200462.tif 000008